(57)【要約】【課題】  ネットワーク（例えばインターネット）に接続されたユーザーシステムのディスプレイ上に制定機能フロントページを動態発生し表示するシステム及び方法の提供。【解決手段】  機能フロントページは一組の選択可能な図示を具え、各図示はユーザーが接続を希望する可能性のある特定のホームページ、サービス、ネットワークインデックスチャンネルに関係する。該機能フロントページの制定とは、各機能フロントページが各ユーザーがお気に入りデータベース中に保存したネットワークログイン履歴と好みにより発生し、ユーザーが接続したいと思う情報ソース／サービスのみを表示することを指す。該機能フロントページの動態発生とはユーザーのお気に入りデータベースが続けて構成され、これによりユーザーの最近の好み及び履歴を反映した機能フロントページを表示できることを指す。【選択図】        図１
2006099610.tif 000002
【特許請求の範囲】
【請求項１】
ユーザーが必要なネットワーク情報を観察するのに便利な動態制定機能フロントページ発生システムにおいて、
各ユーザーのネットワーク接続の履歴及びお気に入りに関するデータを保存するユーザーお気に入りデータベースを包含するユーザーお気に入りサーバーと、
該ユーザーお気に入りサーバーに接続され該ユーザーお気に入りサーバーがアクセスするユーザーデータに基づき、各ユーザーのために制定機能フロントページを動態発生する機能フロントページ発生器と、
ディスプレイと入力装置を具えたクライアントシステムであり、該クライアントシステムは該機能フロントページ発生器に接続され並びに請求により機能フロントページを受け取り、該機能フロントページがユーザーが選択した専案に対応する設定数値を代表し、該入力装置により専案選択後、ユーザーがディスプレイ上に選択した専案が代表する情報ソース／サービスを自動表示することを選択できる上記クライアントシステムと、
を具えたことを特徴とする、動態制定機能フロントページ発生システム。
【請求項２】
請求項１記載の動態制定機能フロントページ発生システムにおいて、ユーザーのネットワーク接続の履歴とお気に入り等に関係するデータの予め定義された標準を更に具え、この機能フロントページ発生器が各単独ユーザーのために制定機能フロントページを発生することを特徴とする、動態制定機能フロントページ発生システム。
【請求項３】
請求項２記載の動態制定機能フロントページ発生システムにおいて、予め定義された標準が過去のユーザーの情報ソース／サービスの接続の頻度を包含することを特徴とする、動態制定機能フロントページ発生システム。
【請求項４】
請求項３記載の動態制定機能フロントページ発生システムにおいて、予め定義された標準が過去のユーザーの情報ソース／サービスの接続の回数及び毎回の接続の持続時間を包含することを特徴とする、動態制定機能フロントページ発生システム。
【請求項５】
請求項２記載の動態制定機能フロントページ発生システムにおいて、クライアントシステムの請求により機能フロントページを受け取り、判断過程完成後に機能フロントページ請求を提出したクライアントシステムのユーザー身分を識別することを特徴とする、動態制定機能フロントページ発生システム。
【請求項６】
請求項１記載の動態制定機能フロントページ発生システムにおいて、ユーザーお気に入りサーバーが機能フロントページ発生器に接続され、並びに予め定義された標準により制定機能フロントページを動態発生し、この機能フロントページにより使用者が必要なネットワーク情報を観察するのに便利とされ、該ユーザーお気に入りサーバーがユーザーお気に入りデータベースを具え、該ユーザーお気に入りデータベース中に各ユーザーのネットワーク接続の履歴及びお気に入りに関するデータが記録され、該ユーザーお気に入りサーバーが計算プロセス完成後に機能フロントページ発生器の定義する標準に符合するネットワーク情報を識別し、且つその情報を機能フロントページ発生器に伝送することを特徴とする、動態制定機能フロントページ発生システム。
【請求項７】
請求項６記載の動態制定機能フロントページ発生システムにおいて、予め定義された標準がユーザーが過去に情報ソース／サービスに接続した頻度を包含し、且つ計算プロセスがユーザーが情報ソース／サービスに接続した回数及び毎回の接続の持続時間の計算を包含することを特徴とする、動態制定機能フロントページ発生システム。
【請求項８】
請求項７記載の動態制定機能フロントページ発生システムにおいて、毎回ユーザーが情報ソース／サービスに接続する時、ユーザーログインデータを自動選択し、このログインデータはユーザーがどのようなネットワーク情報ソース／サービスに接続したか及び対応する接続時間を包含することを特徴とする、動態制定機能フロントページ発生システム。
【請求項９】
請求項１記載の動態制定機能フロントページ発生システムにおいて、メインワークステーションを具え、該メインワークステーションは履歴プログラムメモリを具え、この履歴プログラムメモリは履歴プログラムを具え、並びに所定順序で複数のインターネットソースアドレスを登録することを特徴とする、動態制定機能フロントページ発生システム。
【請求項１０】
請求項９記載の動態制定機能フロントページ発生システムにおいて、履歴プログラムサーバーを具え、それはメインワークステーションに接続され、該履歴プログラムサーバーは履歴プログラムを受け取り、並びに受信した履歴プログラムにより複数の臨時ホームページと表示制御プログラムを発生し、この臨時ホームページが履歴プログラム中に登録された複数のインターネットソースアドレスの複数の使用可能なホームページに基づき発生することを特徴とする、動態制定機能フロントページ発生システム。
【請求項１１】
請求項１０記載の動態制定機能フロントページ発生システムにおいて、クライアントシステムが履歴プログラムサーバー中より表示制御プログラムをダウンロードし且つダウンロードした表示制御プログラムに基づき所定の順序で臨時ホームページをダウンロード並びに表示することを特徴とする、動態制定機能フロントページ発生システム。
【請求項１２】
ユーザーが必要なネットワーク情報を観察するのに便利な動態制定機能フロントページ発生方法において、この方法は、
クライアントシステムを通して動態制定機能フロントページ発生の請求を受け取るステップ、
機能フロントページを請求したクライアントシステムのユーザー身分を判断するステップ、
そのユーザーのネットワーク接続に関する履歴及びお気に入りデータにアクセスするステップ、
アクセスしたデータに基づきそのユーザーのために制定機能フロントページを発生するステップ、
発生した制定機能フロントページをクライアントシステムに伝送し、発生した制定機能フロントページを表示し、この機能フロントページがネット上のユーザーの選択に供される設定数値の専案を表示するステップ、
を具え、そのうち、ユーザーはクライアントシステム上に自動表示される選択された専案に関する情報ソース／サービスを獲得できるほか、ユーザーはその専案のうちの一つを選択できることを特徴とする、動態制定機能フロントページ発生方法。
【請求項１３】
請求項１２記載の動態制定機能フロントページ発生方法において、クライアントシステムより動態制定機能フロントページの請求を受け取るステップはクライアントシステムが起動後にいつでも発生可能であることを特徴とする、動態制定機能フロントページ発生方法。
【請求項１４】
請求項１２記載の動態制定機能フロントページ発生方法において、ユーザー履歴及び好みに関係するデータにアクセスするステップは予め定義された標準を満足させるデータへのアクセスを包含することを特徴とする、動態制定機能フロントページ発生方法。
【請求項１５】
請求項１２記載の動態制定機能フロントページ発生方法において、毎回ユーザーがネット上の情報ソース／サービスに接続する時、ユーザーがどのような種類の情報ソース／サービスに接続し対応する接続持続時間のユーザーログインデータを収集するステップを包含することを特徴とする、動態制定機能フロントページ発生方法。
【請求項１６】
請求項１２記載の動態制定機能フロントページ発生方法において、ユーザーが選択した順序で複数のインターネットソースアドレスのユーザー入力を受け取るステップを具えたことを特徴とする、動態制定機能フロントページ発生方法。
【請求項１７】
請求項１６記載の動態制定機能フロントページ発生方法において、履歴プログラムを発生し、並びに所定の順序で複数のインターネットソースアドレスを登録するステップを具えたことを特徴とする、動態制定機能フロントページ発生方法。
【請求項１８】
請求項１７記載の動態制定機能フロントページ発生方法において、ユーザーの入力を受け取るステップが複数のインターネットソースアドレス上で使用できる複数のインターネットソースデータの各表示時間のユーザー入力を受け取るステップを包含し、履歴プログラムは更に複数のインターネットソースデータの各表示時間を定義することを特徴とする、動態制定機能フロントページ発生方法。
【請求項１９】
請求項１８記載の動態制定機能フロントページ発生方法において、ユーザーの入力を受け取るステップが新たにフォーマット化された複数のインターネットソースデータ中の少なくとも一つのユーザー入力を受け取るステップを包含することを特徴とする、動態制定機能フロントページ発生方法。
【請求項２０】
請求項１８記載の動態制定機能フロントページ発生方法において、履歴プログラムを解釈して複数のインターネットソースデータに基づき複数の臨時ホームページを発生し、並びに表示制御プログラムを発生し、且つ複数の臨時ホームページの各アドレスと表示時間を定義するステップを包含することを特徴とする、動態制定機能フロントページ発生方法。
【発明の詳細な説明】
【技術分野】
【０００１】
本発明はユーザーインタフェースシステムに係り、特にクライアントシステムのユーザーがクライアントシステムを使用する時の好み及び履歴に基づき、クライアントシステム（例えばセットトップボックスシステム、ＰＤＡ、或いは携帯電話）に開始機能フロントページを動態発生させるシステム及び方法に関する。
【背景技術】
【０００２】
業界で周知のとおり、ネットワーク情報はブラウザでユーザー側のシステムに表示され、基本的に一つのユーザー側のユーザーが取得するネットワーク情報の多くはブラウザを利用して進入したい直接ＵＲＬ（Ｕｎｉｖｅｒｓａｌ  Ｒｅｓｏｕｒｃｅ  Ｌｏｃａｔｏｒ；ＵＲＬ）を入力するか、或いはサーチエンジンを使用していくつかの興味のあるアドレスを探し、その後、そのうちの一つをクリックし、ブラウザはそのアドレスのホームページデータをパソコンにダウンロードしてスクリーンに表示する。過去数十年間、インターネットはますます人々に重視並びに使用されるようになっているが、近年、人々はパソコンで接続しなくとも、携帯電話やＰＤＡを使用して無線で接続できるようになった。且つセットトップボックスを利用しても接続できる。コンピュータ初心者にとっては、マウスやキーボードで必要なホームページ情報を探すのは十分に困難である。ある市場研究によると、コンピュータ初心者の多くはマウスやその他の伝統的なコンピュータ入力装置の使用に抵抗を覚える傾向にあり、更に確かに述べると、彼らは非常に速やかに必要なホームページ情報を探し出す過程で挫折してしまう。このため、現在、コンピュータ初心者はインターネットの良いところを確実に享受しているとは言い難い。
【０００３】
ゆえに、コンピューターユーザーが必要なホームページ情報に接続でき以上の問題を解決できる便利なシステムと方法が求められている。
【発明の開示】
【発明が解決しようとする課題】
【０００４】
本発明の目的は、一種の機能設定フロントページを動態制定し表示するシステム及び方法を提供し、コンピュータ初心者が必要なホームページ情報に接続するのに便利とすることにある。
【０００５】
本発明はネットワーク（例えばインターネット）に接続されたクライアントシステム（パソコンのクライアントシステムに非ず）のディスプレイ上に制定機能フロントページを動態発生するシステムと方法を提供する。該機能フロントページの制定とは、各機能フロントページが各ユーザーがお気に入りデータベース中に保存したネットワークログイン履歴と好みにより発生し、ユーザーが接続したいと思う情報ソース／サービスのみを表示することを指す。該機能フロントページの動態発生とはユーザーのお気に入りデータベースが続けて構成され、これによりユーザーの最近の好み及び履歴を反映した機能フロントページを表示できることを指す。
【０００６】
一種の状況を仮設すると、テレビのユーザーが全て一組の彼らが好みのブラウザチャンネルを有するとし、本発明は仮設ユーザーに構築され、特に非パソコンクライアントシステムユーザーが一組の彼らがクライアントシステム上で習慣的に使用或いは接続する情報ソース／サービスを有し得る。この情報ソース／サービスは一組の特定のネットワークインデックスチャンネル、インターネット内容及びアプリケーション、インタラクティブサービス、及び又はＶｏｌｐサービスの電話番号を包含しうる。普通のユーザーがテレビを見る習慣に基づき、本発明はユーザーが可能な限り最短の時間で彼らの好みの情報ソース／サービスに接続できるようにする。本発明は情報ソース／サービス位置を探す面倒を省き、並びにユーザーが使用するクライアントシステムの効率及び使いやすさを高める。特に、本発明は開始画面を通じて図示の形式で最もよく接続される情報ソース／サービスを表示し、ユーザーがその必要な情報ソース／サービスに接続する時間を短縮する。本発明はまたユーザーが比較的好む情報ソース／サービスを記録並びに計算（判断）し、並びにこれらの情報ソース／サービスを図示の形式で表示し、ユーザーの接続をワンタッチで完成できるようにし、これによりワンタッチ式選択の要求を満足させる。制定機能フロントページ動態発生のサービスは以下に制定機能フロントページサービスと称し、且つこのサービスを提供するシステムを以下に制定機能フロントページ発生システムと称する。
【０００７】
本発明の制定機能フロントページサービスは一つのシステムにより提供される。このシステムはユーザーお気に入りサーバーに接続された機能フロントページ発生器を包含する。このユーザーお気に入りサーバーはユーザーお気に入りデータベースに接続される（或いはユーザーお気に入りデータベースを包含する）。このシステムは実質上はユーザーの媒体とされ、このユーザーは多層及び多数の目録をクリックしなくともそのお気に入りの情報ソース或いはサービスに接続できる（例えば特定のＵＲＬ或いはネットワークインデックスチャンネルを通じてインターネット内容を獲得できる）。
【０００８】
ここで述べる機能フロントページとはユーザーが上述のサービスを請求開始するモニタ（例えばテレビ、ＰＤＡ、パソコン及びＬＣＤディスプレイ）の開始ページ画面を指す。ユーザーはデータログイン装置を通して選択する前に、見るのはこの開始ページ画面である。この機能フロントページと機能フロントページ中の図示はＨＴＭＬ原語でエンコードされこれによりインターネットを通して接続されるか或いはＣＡＴＶ信号で伝送される。
【０００９】
ここで述べる図示とは、ネットワークインデックススクリプト、文献、ＵＲＬ、クライアントシステムに存在する本地機能、或いはインターネット或いはＣＡＴＶ信号を通した任意のインタラクティブ式サービスの図表を指す。この図示はクリック可能で、矢印キー或いは数字キーを通して選択でき、キーボード操作による必要はない。この図示は機能フロントページ上に置かれ、これにより同一のフレーム上で選択できる。この図示はクライアントシステムに本地でのダウンロード保存或いはインターネット上か、或いはその他のネットワークサービスを通して保存するか或いは異なる文献及びアプリケーションに接続するかを指導することができる。図示の視角表現は図表ユーザーインタフェース形式、例えば図表ボタン或いはフレーム上を移動する文情報選択フレームとされうる。例えば、ユーザーの特定の図表ユーザーインタフェースはＶｏｌｐ電話帳を包含しうる。この電話帳はユーザーが以前にダイアルしたことのある全ての電話番号を記録する。ユーザーお気に入りデータベースはユーザーの電話を記録し並びに最近ダイアルした電話番号を機能フロントページ上に表示する。
【００１０】
機能フロントページ上でいずれかの図示を選択するか或いは図示と関係のある数字（例えば数字キーを使用）を入力することで、ユーザーは彼らの興味関心のある情報ソース／サービスを表明し、且つユーザーお気に入りサーバーはユーザーお気に入りデータベース中にユーザーの活動をログインして更なる参考となす。ユーザーの活動をログインするだけでなく、ユーザーお気に入りサーバーはユーザー装置（即ちユーザーシステム）情報を保存し、例えば、装置位置、グループ分類、及び統計データ、例えば各ユーザーのＩＤナンバー、電話番号、年齢、性別等を記録する。これらの情報に基づき、ユーザーが一回本サービスに接続する度に、この機能フロントページ発生器がユーザーのために独特のパーソナライズされた機能フロントページを自動動態発生する。
【００１１】
ユーザーは本サービスの提供する機能フロントページを受信するために三つの装置を必要とする。即ち、該機能フロントページを表示するディスプレイ、ユーザーが選択した入力を確認するための入力装置、例えば方向（矢印）キー、数字キー及び入力キー、及び任意のネットワークを通して本サービスに接続するクライアントシステム（或いは装置）である。クライアントシステムはＨＴＭＬ文書を表示できるソフトウエア、例えばブラウザをインストールする必要がある。
【００１２】
ユーザーが選択或いは動作を行なう前に、本サービスは機能フロントページ発生器に接続され、該機能フロントページ発生器はこの特定のユーザーのために表示する機能フロントページの内容を決定する。ユーザーの以前の経験及び以前に選択した好みの或いは統計のデータに基づき、各ユーザーのために表示する機能フロントページは異なりうる。該機能フロントページは各機能フロントページ上の表示したい図示を決定する必要がある。そのうち、どのような図示を表示するかに影響を与える因子には、ユーザーの好み、ユーザーの過去の活動記録、ユーザー統計記録、及びユーザーの接続及び特権が包含される。
【００１３】
これにより、該機能フロントページ発生器はどの図示を特定ユーザー機能フロントページ上に表示するかを決定するサーバーである。各ユーザーはいずれも機能フロントページ発生器中の独特のユーザーショート記録を有する。該ユーザーショート記録はユーザーお気に入りデータベース中でユーザーの過去の活動、統計データ、及び接続と特権属性等を画定するのに用いられ、その後、機能フロントページ発生器が特定ユーザーのために独特の機能フロントページ及び図示を組み合わせるのに使用する。各ユーザーは本発明の制定機能フロントページサービスを登録注文してその制定された機能フロントページを受信（観察）する必要がある。
【００１４】
特に、どの文献或いはサービスがユーザーが最も観察或いは使用したいかを判断するため、この機能フロントページ発生器はユーザーお気に入りサーバーに接続され、該ユーザーお気に入りサーバーはユーザーお気に入りデータベース中にユーザーの活動及びその他の情報を記録する。ユーザー観察習慣及び個人情報に関係するデータ、例えばユーザーが最近どのホームページにログインしたか及びログインの持続時間が記録された後、ユーザーお気に入りサーバーはこれらの情報を機能フロントページ発生器に提供し、機能フロントページ発生器が提供されたデータに基づき計算しどの情報ソース及びサービスがユーザーが最も再度接続したいのかを判断する。該ユーザーの好みは該ユーザーの過去の観察習慣の特性及び分類により推測される。該機能フロントページ発生器はまたユーザーの過去の選択に基づきユーザーに情報ソース／サービスを推薦する。例えば機能フロントページは過去に自動車類の部分情報ソースを観察したことのあるユーザーに自動車サービスを推薦する。
【００１５】
該クライアントシステムソフトウエアは続けてユーザー活動データを選択し並びにユーザーが機能フロントページサービスに接続を請求する時、これらの情報をユーザーお気に入りサーバーに伝送するか、或いはユーザーがこのサービスを使用しない時に自動伝送する。ユーザーＩＤ、装置（即ちクライアントシステム）ＩＤ、現在アドレス、現在観察チャンネル（例えば上述のネットワークインデックスシステムの一系列に基づき予めスケジュールしクライアントシステム上に順次表示されるＵＲＬ）と観察持続時間等のデータは全てクライアントソフトに収集され並びにユーザーお気に入りサーバーに伝送される。
【００１６】
本発明によるユーザーが必要なネットワーク情報を観察するのに便利な動態制定機能フロントページ発生システムは、各ユーザーの接続の履歴及び好みのデータを保存するユーザーお気に入りデータベースを具えたユーザーお気に入りサーバーと、ユーザーお気に入りサーバーに接続されてユーザーお気に入りサーバーより取得したユーザーデータにより各ユーザーのために制定機能フロントページを動態発生する機能フロントページ発生器、及び、ディスプレイ及び入力装置を具えたクライアントシステムを具え、該クライアントシステムは請求により設置され並びに機能フロントページ発生器より機能フロントページを受信し、該機能フロントページはユーザーが選択できる設定専案数値を代表し、そのうち、該入力装置を使用することによりユーザーが専案のうち一つを選択でき、ユーザーはディスプレイに自動表示される選択された専案に関する情報ソース／サービスを選択できる。
【００１７】
本発明のシステムによると、ユーザーお気に入りサーバーは機能フロントページ発生器に接続されて予め定義された標準に基づき、制定機能フロントページを動態発生し、この機能フロントページによりユーザーは必要なネットワーク情報を便利にブラウジングすることができる。このユーザーお気に入りサーバーはユーザーお気に入りデータベースを具え、このユーザーお気に入りデータベース中には各ユーザーのネットワーク接続の履歴及び好みの情報が保存され、そのうち、ユーザーお気に入りサーバーは機能フロントページ発生器の定義する標準に符合するネットワーク情報を計算完成し識別し、且つこの情報を機能フロントページ発生器に送る。そのうちこの標準は、過去のユーザーの接続した情報ソース／サービスの頻度を包含し、且つ上述の計算は、ユーザーの情報ソース／サービスへの接続の回数及び毎回の接続の時間を包含する。毎回ユーザーが情報ソース／サービスに接続するたび、このシステムは自動的にユーザーログインデータを選択し、このログインデータはユーザーがどのようなネットワーク情報ソース／サービスに接続したか及びその対応する持続時間を包含する。
【００１８】
本発明のシステムによると、更にメインワークステーションを具え、それは履歴プログラムメモリを包含し、該メモリは履歴プログラムを包含し、そのうち、所定順序で複数のネットワークアドレスが登録される。そのうちには更に履歴プログラムサーバーが包含され、該メインワークステーションに接続され、この履歴プログラムサーバーは履歴プログラムを受信するために配置され、この複数の臨時ホームページはそれぞれ該履歴プログラム中に登録された複数のインターネットアドレスの複数の使用可能なホームページに基づき発生する。且つクライアントシステムは該履歴プログラムサーバーより表示制御プログラムをダウンロードし、その後、ダウンロードした表示制御プログラムに基づき所定の順序で臨時ホームページをダウンロード及び表示する。
【００１９】
本発明はユーザーが必要なネットワーク情報を観察するのに便利な動態制定機能フロントページ発生方法を提供する。この方法は以下のステップを包含する。ネットワークを通してクライアントシステムより動態制定機能フロントページの請求を受信する。機能フロントページを請求したクライアントシステムのユーザー身分を判断する。ユーザーのネットワーク接続時の関係履歴及び好みのデータにアクセスする。上述のアクセスしたデータに基づきユーザーのために制定機能フロントページを発生する。発生した制定機能フロントページをクライアントシステムに伝送し、該機能フロントページを表示し、この機能フロントページはネット上のユーザーの選択に供される設定数値の専案を表示する。そのうち、ユーザーがそのうち一つの専案を選択することで、ユーザーはクライアントシステム上に選択された専案の情報ソース／サービスの自動表示を獲得できる。
【００２０】
本発明の発生方法中、クライアントシステムより動態制定機能フロントページの請求を受け取るステップはクライアントシステムが起動された後の任意の時に発生する。また、ユーザーの履歴及び好みに関係するデータにアクセスするステップでは予め定義された標準を満足させるデータへのアクセスを包含する。このほか、毎回ユーザーが情報ソース／サービスに接続すると、ユーザーがどのような情報ソース／サービスに接続したか及びそれに対応する持続時間をユーザーログインデータを自動収集するステップを含む。このほか、ユーザーが選択する順序で複数のインターネットアドレスのユーザー入力を受信するステップ、及び履歴プログラムを発生し、そのうち所定の順序で複数のインターネットアレスを登録するステップを含む。このほか、ユーザー入力を受信するステップは複数のインターネットアドレス中の使用可能な複数のインターネットソースデータの毎回の表示時間のユーザー入力を受信するステップを包含し、履歴プログラムは更に複数のインターネットソースデータの毎回の表示時間を定義する。更に上述の履歴プログラムを解釈して複数の接続データに基づき複数の臨時ホームページを発生し、一つの表示制御プログラムを発生し、上述の複数のホームページの各アドレスと表示時間を定義するステップを含む。或いはそのうちユーザー入力受信のステップは更に新たにフォーマットされた複数のインターネットソースデータ中より少なくとも一つのユーザー入力を受信するステップを含む。
【課題を解決するための手段】
【００２１】
請求項１の発明は、ユーザーが必要なネットワーク情報を観察するのに便利な動態制定機能フロントページ発生システムにおいて、
各ユーザーのネットワーク接続の履歴及びお気に入りに関するデータを保存するユーザーお気に入りデータベースを包含するユーザーお気に入りサーバーと、
該ユーザーお気に入りサーバーに接続され該ユーザーお気に入りサーバーがアクセスするユーザーデータに基づき、各ユーザーのために制定機能フロントページを動態発生する機能フロントページ発生器と、
ディスプレイと入力装置を具えたクライアントシステムであり、該クライアントシステムは該機能フロントページ発生器に接続され並びに請求により機能フロントページを受け取り、該機能フロントページがユーザーが選択した専案に対応する設定数値を代表し、該入力装置により専案選択後、ユーザーがディスプレイ上に選択した専案が代表する情報ソース／サービスを自動表示することを選択できる上記クライアントシステムと、
を具えたことを特徴とする、動態制定機能フロントページ発生システムとしている。
請求項２の発明は、請求項１記載の動態制定機能フロントページ発生システムにおいて、ユーザーのネットワーク接続の履歴とお気に入り等に関係するデータの予め定義された標準を更に具え、この機能フロントページ発生器が各単独ユーザーのために制定機能フロントページを発生することを特徴とする、動態制定機能フロントページ発生システムとしている。
請求項３の発明は、請求項２記載の動態制定機能フロントページ発生システムにおいて、予め定義された標準が過去のユーザーの情報ソース／サービスの接続の頻度を包含することを特徴とする、動態制定機能フロントページ発生システムとしている。
請求項４の発明は、請求項３記載の動態制定機能フロントページ発生システムにおいて、予め定義された標準が過去のユーザーの情報ソース／サービスの接続の回数及び毎回の接続の持続時間を包含することを特徴とする、動態制定機能フロントページ発生システムとしている。
請求項５の発明は、請求項２記載の動態制定機能フロントページ発生システムにおいて、クライアントシステムの請求により機能フロントページを受け取り、判断過程完成後に機能フロントページ請求を提出したクライアントシステムのユーザー身分を識別することを特徴とする、動態制定機能フロントページ発生システムとしている。
請求項６の発明は、請求項１記載の動態制定機能フロントページ発生システムにおいて、ユーザーお気に入りサーバーが機能フロントページ発生器に接続され、並びに予め定義された標準により制定機能フロントページを動態発生し、この機能フロントページにより使用者が必要なネットワーク情報を観察するのに便利とされ、該ユーザーお気に入りサーバーがユーザーお気に入りデータベースを具え、該ユーザーお気に入りデータベース中に各ユーザーのネットワーク接続の履歴及びお気に入りに関するデータが記録され、該ユーザーお気に入りサーバーが計算プロセス完成後に機能フロントページ発生器の定義する標準に符合するネットワーク情報を識別し、且つその情報を機能フロントページ発生器に伝送することを特徴とする、動態制定機能フロントページ発生システムとしている。
請求項７の発明は、請求項６記載の動態制定機能フロントページ発生システムにおいて、予め定義された標準がユーザーが過去に情報ソース／サービスに接続した頻度を包含し、且つ計算プロセスがユーザーが情報ソース／サービスに接続した回数及び毎回の接続の持続時間の計算を包含することを特徴とする、動態制定機能フロントページ発生システムとしている。
請求項８の発明は、請求項７記載の動態制定機能フロントページ発生システムにおいて、毎回ユーザーが情報ソース／サービスに接続する時、ユーザーログインデータを自動選択し、このログインデータはユーザーがどのようなネットワーク情報ソース／サービスに接続したか及び対応する接続時間を包含することを特徴とする、動態制定機能フロントページ発生システムとしている。
請求項９の発明は、請求項１記載の動態制定機能フロントページ発生システムにおいて、メインワークステーションを具え、該メインワークステーションは履歴プログラムメモリを具え、この履歴プログラムメモリは履歴プログラムを具え、並びに所定順序で複数のインターネットソースアドレスを登録することを特徴とする、動態制定機能フロントページ発生システムとしている。
請求項１０の発明は、請求項９記載の動態制定機能フロントページ発生システムにおいて、履歴プログラムサーバーを具え、それはメインワークステーションに接続され、該履歴プログラムサーバーは履歴プログラムを受け取り、並びに受信した履歴プログラムにより複数の臨時ホームページと表示制御プログラムを発生し、この臨時ホームページが履歴プログラム中に登録された複数のインターネットソースアドレスの複数の使用可能なホームページに基づき発生することを特徴とする、動態制定機能フロントページ発生システムとしている。
請求項１１の発明は、請求項１０記載の動態制定機能フロントページ発生システムにおいて、クライアントシステムが履歴プログラムサーバー中より表示制御プログラムをダウンロードし且つダウンロードした表示制御プログラムに基づき所定の順序で臨時ホームページをダウンロード並びに表示することを特徴とする、動態制定機能フロントページ発生システムとしている。
請求項１２の発明は、ユーザーが必要なネットワーク情報を観察するのに便利な動態制定機能フロントページ発生方法において、この方法は、
クライアントシステムを通して動態制定機能フロントページ発生の請求を受け取るステップ、
機能フロントページを請求したクライアントシステムのユーザー身分を判断するステップ、
そのユーザーのネットワーク接続に関する履歴及びお気に入りデータにアクセスするステップ、
アクセスしたデータに基づきそのユーザーのために制定機能フロントページを発生するステップ、
発生した制定機能フロントページをクライアントシステムに伝送し、発生した制定機能フロントページを表示し、この機能フロントページがネット上のユーザーの選択に供される設定数値の専案を表示するステップ、
を具え、そのうち、ユーザーはクライアントシステム上に自動表示される選択された専案に関する情報ソース／サービスを獲得できるほか、ユーザーはその専案のうちの一つを選択できることを特徴とする、動態制定機能フロントページ発生方法としている。
請求項１３の発明は、請求項１２記載の動態制定機能フロントページ発生方法において、クライアントシステムより動態制定機能フロントページの請求を受け取るステップはクライアントシステムが起動後にいつでも発生可能であることを特徴とする、動態制定機能フロントページ発生方法としている。
請求項１４の発明は、請求項１２記載の動態制定機能フロントページ発生方法において、ユーザー履歴及び好みに関係するデータにアクセスするステップは予め定義された標準を満足させるデータへのアクセスを包含することを特徴とする、動態制定機能フロントページ発生方法としている。
請求項１５の発明は、請求項１２記載の動態制定機能フロントページ発生方法において、毎回ユーザーがネット上の情報ソース／サービスに接続する時、ユーザーがどのような種類の情報ソース／サービスに接続し対応する接続持続時間のユーザーログインデータを収集するステップを包含することを特徴とする、動態制定機能フロントページ発生方法としている。
請求項１６の発明は、請求項１２記載の動態制定機能フロントページ発生方法において、ユーザーが選択した順序で複数のインターネットソースアドレスのユーザー入力を受け取るステップを具えたことを特徴とする、動態制定機能フロントページ発生方法としている。
請求項１７の発明は、請求項１６記載の動態制定機能フロントページ発生方法において、履歴プログラムを発生し、並びに所定の順序で複数のインターネットソースアドレスを登録するステップを具えたことを特徴とする、動態制定機能フロントページ発生方法としている。
請求項１８の発明は、請求項１７記載の動態制定機能フロントページ発生方法において、ユーザーの入力を受け取るステップが複数のインターネットソースアドレス上で使用できる複数のインターネットソースデータの各表示時間のユーザー入力を受け取るステップを包含し、履歴プログラムは更に複数のインターネットソースデータの各表示時間を定義することを特徴とする、動態制定機能フロントページ発生方法としている。
請求項１９の発明は、請求項１８記載の動態制定機能フロントページ発生方法において、ユーザーの入力を受け取るステップが新たにフォーマット化された複数のインターネットソースデータ中の少なくとも一つのユーザー入力を受け取るステップを包含することを特徴とする、動態制定機能フロントページ発生方法としている。
請求項２０の発明は、請求項１８記載の動態制定機能フロントページ発生方法において、履歴プログラムを解釈して複数のインターネットソースデータに基づき複数の臨時ホームページを発生し、並びに表示制御プログラムを発生し、且つ複数の臨時ホームページの各アドレスと表示時間を定義するステップを包含することを特徴とする、動態制定機能フロントページ発生方法としている。
【発明の効果】
【００２２】
本発明は、コンピュータ初心者が必要なホームページ情報に接続するのに便利な機能設定フロントページを動態制定し表示するシステム及び方法を提供している。
【発明を実施するための最良の形態】
【００２３】
図１は本発明の制定機能フロントページ発生システムの操作環境を表示する。一つ或いは複数のクライアントシステム１、例えばテレビのセットトップボックス、携帯電話、ＰＤＡ、パームトップコンピュータがインターネット５に接続される。図示される実施方式中、クライアントシステムはセットトップボックスとされ並びに通常はディスプレイ３を具えた普通の家庭用テレビの上に置かれる。且つ、該セットトップボックス１は入力装置４、例えば赤外線リモートコントロール装置を具えている。クライアントシステム１は更に以下の数種類の演算設備、例えば、コンピュータ、携帯型コンピュータ、ページャ等本領域の人が熟知する設備より選択されうる。クライアントシステムの具体類型により、そのディスプレイ３及び入力装置４の外形は対応して変化する。
【００２４】
ブラウザがホームページを特定するため、クライアントシステム１はその上で運行するホームページブラウザを通して請求中でこのホームページのＵＲＬを特定化する。この請求は該ホームページを支援するホームページサーバー６に送られ、且つ該ホームページサーバー６はインターネット５を通して該ホームページをクライアントシステム１に伝送する。インターネットの設置及び操作はいずれも業界の者の熟知するところであるため、ここでは詳しく説明しない。注意すべきことは、本発明の実施例によると、メインワークステーション７’及び履歴プログラム（Ｓｃｈｅｄｕｌｅ  Ｐｒｏｇｒａｍ）サーバー８’もインターネット５に接続されていることである。該メインワークステーション７’はメインサーバー９’を包含し、履歴プログラムホームページを支援し、該履歴プログラムホームページはユーザー側のユーザーが選択した履歴プログラムとされ、且つメインコンピュータ１０’はメインサーバー９’上の履歴プログラムホームページを構築並びに維持するのに用いられる。該履歴プログラムサーバー８’は該履歴プログラムにより構築される系列ホームページを包含し、並びにこのホームページをクライアントシステム１に伝送し表示する。そのうちメインワークステーション７’及び履歴プログラムサーバー８’の操作及び構造は以下に詳しく説明する。
【００２５】
図１を更に参照されたい。本発明によると、機能フロントページ発生器８もインターネット５に接続されている。該機能フロントページ発生器８はユーザーお気に入りサーバー９に接続され、それはユーザーお気に入りデータベース１０に接続されるかそれを包含する。予め定義された標準、例えば各ユーザーの好みと接続した異なる情報ソースの履歴、アプリケーション、接続サービス、及び各ユーザーの個人情報、地理位置及びその他の情報に基づき、該機能フロントページ発生器８は異なる図示のＨＴＭＬ文献が代表する制定機能を包含する機能フロントページを動態発生する。機能フロントページ発生器８の特定標準に基づき、ユーザーお気に入りサーバー９はユーザーお気に入りデータベース１０中に該機能フロントページ発生器８が設定した標準に関係する或いはそれを達成するユーザー関係データを記録並びに保存する。機能フロントページ発生器８及びユーザーお気に入りサーバー９の操作は以下のとおりである。
【００２６】
図２はクライアントシステム１の複数の重要な装置を示す。本領域に属する者であれば、クライアントシステム１が図２中に示されるものより更に多くの装置を包含しうることが分かり、例えば、インターネットに接続するためのネットワークインタフェースを包含しうるがしかし全ての装置を表示して本発明の実施方式を説明する必要はない。図示されるように、クライアントシステム１は、処理ユニット１１、ディスプレイ３、入力装置４及びメモリ１２を具え全てバス２で接続されている。本発明によると、該ディスプレイ３はユーザーに対して機能フロントページを発生するのに用いられる。ユーザーは入力装置４を使用してその希望する選択を行なうことができ、該入力装置は現在ある任意の入力装置、例えばキーボード、マウス、矢印キー及び数字キーを具えたリモコン、及びその他の任意の指示装置とされうる。該メモリ１２は通常、ＲＡＭ、ＲＯＭ、及び永久大容量保存装置、例えば業界で周知のディスク保存装置とされうる。該メモリ１２はオペレーションシステム１３を保存してクライアントシステム１の運行を制御し、並びにネットワークブラウザ１４を保存してネットワークとの接続を制御し、並びにクライアントシステム１のためにＨＴＭＬ文書を解釈する。該クライアントシステム１はデジタルチャンネルソフトウエア１５を包含し、その操作は以下のとおりである。
【００２７】
図３はメインワークステーション７’の主要部分を示し、それは現在ある技術中で周知の任意の標準ワークステーションを包含しうる。このメインワークステーション７’はネットワークインタフェース４６’を通してインターネットに接続され、それは処理ユニット４７’、ディスプレイ４８’、入力装置４９’及びメインメモリ５０’を包含し、いずれもバス５２’でネットワークインタフェース４６’に接続され、該メインメモリ５０’はメインワークステーション７’の操作を制御するオペレーションシステム５４’、履歴プログラムホームページを支援するためのネットワークサービス部分６５’、履歴プログラムを発生或いは編集する履歴プログラム編集システム５６’、発生した履歴プログラムを保存する履歴プログラムデータベース５８’、履歴プログラム購入ユーザーに関係するデータを保存するユーザー管理データベース６０’を具えている。上述したように、メインワークステーション７’はメインサーバー９’を包含し、それは通常、履歴プログラムホームページを支援するネットワークサーバーであり、またメインコンピュータ１０’を具え、それはメインサーバー９’上に履歴プログラムホームページを発生し並びに維持するのに用いられる。これにより図３に示されるように、ディスプレイ４８’、入力装置４９’及び履歴プログラム編集システム５６’は物理上、メインコンピュータ１０’中に駐留し、ネットワークインタフェース４６’、ネットワークサービス部分６５’及び履歴プログラムデータベース５８’は物理上、メインサーバー９’中に駐留し、当然メインワークステーション７’の部品はメインコンピュータ１０’とメインサーバー９’の間にあって各種の方式で分布しうる。
【００２８】
図４はホームページサーバー６の好ましい実施例の履歴プログラムサーバー８’のフレーム図である。該履歴プログラムサーバー８’はネットワークインタフェース５１’を通してインターネットに接続され、処理ユニット５３’とメモリ５５’を具えている。そのうち、該処理ユニット５３’とメモリ５５’はバス５７’を通してネットワークインタフェース５１’に接続され、該メモリ５５’はサーバー操作を制御するオペレーションシステム５９’と、履歴プログラムを受け取り並びに受け取った履歴プログラムを解釈し履歴プログラム中に一系列ホームページを構築登録する履歴プログラムインタプリタ６３’を具えている。特に、履歴プログラムインタプリタ６３’はメモリ５５’中に包含されるネットワークサービス部分６６’を制御し、それぞれそれらが各自のネットワークサーバーよりこのホームページにアクセス／接続並びにダウンロードするのに用いられ、これらの構築された一系列のホームページはメモリ５５’中の臨時ホームページデータベース６７’に保存される。以下に詳細に各部の機能について説明する。
【００２９】
図５はホームページサーバー６の好ましい実施例の履歴プログラムを示す。履歴プログラム６１’はテーブル６２’を具え、それはクライアントシステム上に表示される複数のホームページ、及び一組の属性６４’を包含する。そのうち、該テーブル６２’は名称、アドレス及び選択された押圧したい順序で表示される各ホームページの表示時間（Ｄｉｓｐｌａｙ  Ｐｅｒｉｏｄ）を包含する。テーブル６２’が示すように、ユーザー側システムは自動的に株情報Ａのホームページを３０秒、株情報Ｂのホームページを４５秒、株情報Ｃのホームページを１分間等表示する。この属性６４’は目録（例えば上述のような株）、全ての表示時間（全ての表示時間の総和）、有効の時間（履歴プログラムの使用可能時間）及び特定履歴プログラムの優先権を定義可能である。
【００３０】
図６は本発明の好ましい実施例のクライアントシステム、メインワークステーション、履歴プログラムサーバー間のデータフローを示す。具体的には、図６はクライアントシステム１、メインワークステーション７’、履歴プログラムサーバー８’及び一つ及び複数の各種の興味を感じたホームページを支援するネットワークサーバー６’中のデータフローを示す。まず、線７０’はクライアントシステム１が履歴プログラム提供の請求をメインワークステーション７’に送ることを示す。これは多種類の方法で実現可能であり、例えば直接該履歴プログラムホームページのアドレスをクライアントシステム１に入力するか、或いはクライアントシステム１上でクリックして該履歴プログラムホームページにハイパーリンクする。線７２’はこの請求に対する応答を示し、メインワークステーション７’が該履歴プログラムホームページ（例えば図７のような履歴プログラムホームページ７３’）をクライアントシステム１に伝送し、該履歴プログラムホームページは複数の選択に供され得る目録を列挙する。そのうち各目録は一つ或いは複数のすでに定義された履歴プログラムに関係し、且つそのうち一つの目録だけがプルダウンの機能テーブルを包含し、その下に数個の選択に供され得るサブ目録を列挙する。このような状況下で、各サブ目録も一つ或いは複数のすでに定義された履歴プログラムに関係する。
【００３１】
線７４’はユーザーが必要と思う目録を選択することを示し、例えばこの目録上でクリックすることを示す。線７６’はメインワークステーション７’が履歴プログラムデータベース５８’よりすでに選択された目録の履歴プログラムを回収することを指し、例えば選択された目録が一つ或いは複数の履歴プログラムと関係する場合、メインワークステーション７’はそのうち一つのプログラムを選択する必要がある。続いて、線７８’はメインワークステーション７’がすでに回収した履歴プログラムを伝送し、並びに該クライアントシステム１が履歴プログラムがすでに選択した目録に対する確認を履歴プログラムサーバー８’に伝送する。或いは、線８０’のように、メインワークステーション７’が回収した履歴プログラムをクライアントシステム１に送る。線８２’で、すでに受信した履歴プログラムを履歴プログラムサーバー８’に伝送する。線８４で、履歴プログラムサーバー８’がすでに受信した履歴プログラムを翻訳し並びに臨時ホームページ及びその表示制御プログラムを発生する。言い換えると、履歴プログラムサーバー８’がすでに受信した履歴プログラム（線８６’）登録を支援可能なホームページを具えたホームページサーバー６’にアクセスし、並びに一系列の臨時ホームページを発生し、クライアントシステム１上に表示する。履歴プログラムサーバー８’はまた表示制御プログラムを発生し、それは該臨時ホームページのクライアントシステム１上での表示の方式を定義する。その後、線８８’で、履歴プログラムサーバー８’はまず表示制御プログラムをクライアントシステム１上に転換する。続いて、線９０’で、すでに受信した表示制御プログラムを使用し、クライアントシステム１が履歴プログラムサーバー８’より臨時ホームページをダウンロード並びに表示する。
【００３２】
こうして、クライアントシステム１のユーザーが該履歴プログラムホームページにアクセスし（線７０’）、並びに必要と思う目録を選択する時、予め選択され並びに選択目録の履歴プログラム中に配列された一系列のホームページが自動的にクライアントシステム１に表示される。こうして本発明はクライアントシステム上のユーザーが最小の操作プロセス下で複数のホームページを閲覧できるようにする。
【００３３】
図８は機能フロントページ発生器８の複数の重要な部品を示し、それはサーバーとメインコンピュータを有する業界の者であれば周知の任意の標準ワークステーションで組成される。上述したように、本領域の普通の技術人員であれば機能フロントページ発生器が図８に示されるものより多くの部品を有し得ることが、全ての部品を表示して本発明の実施方式を説明する必要はないことが分かる。図８に示されるように、機能フロントページ発生器は処理ユニット１６、ディスプレイ１７、入力装置１８及び大容量メモリ１９を具え、これらは全てバス２０で接続されている。この大容量メモリ１９はオペレーションシステム２１を保存して機能フロントページ発生器の運転を制御するのに用いられ、並びにネットワークブラウザ２２を保存して該機能フロントページ発生器のネットワーク接続を制御する。該大容量メモリ１９は更に機能フロントページ発生器ソフトウエア２３を保存し、その操作を以下に説明する。基本的に、機能フロントページ発生器８が定義する標準に基づき、各ユーザーのために機能フロントページを発生する。該機能フロントページ発生器８は更にどのような図示で図表、文書情報目録（ＳＭＳ）を機能フロントページ中に表示するかを定義し、及び該機能フロントページのレイアウトを定義する。この機能フロントページ発生器８は中枢で、その他のサーバーとの協調に用いられ、その他のサーバーとはユーザーお気に入りサーバー９とその他の可能なサーバー例えばＳＭＳサーバーとＶｏＩＰサーバーを包含し、ユーザーに機能フロントページサービスを提供する（ＳＭＳサーバーとＶｏＩＰサービスを包含する）。ユーザーが制定機能フロントページを請求する時、該機能フロントページ発生器８はクライアントシステム１に接続されるサーバーである。
【００３４】
図９はユーザーお気に入りサーバー９の複数の重要な部品を示す。それは業界の者が周知の任意の標準のサーバーとされうる。前述したように、本領域の普通の知識を有する者であれば、ユーザーお気に入りサーバー９が図９に示されるより多くの部品を有し得るが全ての部品を表示して本発明の実施方式を説明する必要はないことが分かる。図９に示されるように、該ユーザーお気に入りサーバー９はバス２７を通して接続された処理ユニット２５とメモリ２６を具えている。該メモリ２６はオペレーションシステム２８を保存してユーザーお気に入りサーバー９の運行を制御するのに用いられ、並びにブラウザ２９を保存して該ユーザーお気に入りサーバー９のネットワーク接続を制御する。該メモリ２６は更にユーザーお気に入りデータ管理ソフトウエア３０を保存し、それはユーザーお気に入りデータベース１０を維持する。並びに図１０も参照されたい。ユーザーお気に入りデータベース１０はオペレーションシステム３１とユーザーお気に入りデータを保存するメモリ３２を具えている。該ユーザーお気に入りデータは異なった各一人のユーザーの好みを推定するのに用いられるユーザー関係データ、例えばユーザー識別番号ＩＤ、装置（クライアントシステム）ＩＤ、各ユーザーの追跡履歴（即ちネットワーク接続履歴）、ユーザーログイン時間（各情報ソース／サービスの観察時間）、個人情報（アドレス、電話番号、性別、年齢等）、ユーザー特権、及び任意の機能フロントページ発生器８が定義した標準と関係するデータを包含する。理解すべきことは、上述のユーザーお気に入りサーバー９は必ずしも物理上機能フロントページ発生器８より独立する必要はなく、状況によっては二つの部品は集成可能である、ということである。またユーザーお気に入りデータベース１０は物理上、ユーザーお気に入りサーバー９中に包含可能で、或いは遠方よりユーザーお気に入りサーバー９に接続可能である。
【００３５】
図１１はフローチャートであり、本発明の制定機能フロントページサービスの好ましい実施方式の全体フローである。ステップ４０中、ユーザーはクライアントシステム（例えばセットトップボックス）１を起動すると、それが優先的に自動接続し並びに機能フロントページ発生器８より機能フロントページを請求する。選択可能であるのは、クライアントシステム１を起動後に、ユーザー部分より特定の入力を行ない、エラー、リンク無効となすことである。事実上、ユーザーが動態制定機能フロントページ発生サービスを使用する時、クライアントシステム１のユーザーはいつでも重複して新たな機能フロントページを請求できる。ステップ４１において、機能フロントページ発生器８はクライアントシステム１中より得たユーザー識別データ、例えばセットトップボックスＩＤ（装置ＩＤ）４２、クライアントシステム１の入力装置を通してアクセス／接続されるユーザーパスワード４３、或いはスマートカードリーダー４４の情報に基づき、機能フロントページ発生器８に保存されるか或いはそれを通して獲得されたユーザーショート記録と比較することができる。特に、もしすでに機能フロントページを請求したユーザーがすでに機能フロントページサービスの注文を行なっており、もしユーザーが特定のユーザーグループに属し、もしユーザーが余分の費用のサービスを注文するなら、機能フロントページ発生器８は対比を行なう。
【００３６】
対比に基づき、ステップ４６で、機能フロントページ発生器８はユーザーショート記録をユーザーお気に入りサーバー９に伝送する。ステップ４７で、ユーザーお気に入りサーバー９は受け取ったユーザーショート記録を使用してユーザーお気に入りデータベース１０より特定ユーザーに関係する異なるユーザー情報を取得する。例えば、ユーザーお気に入りデータベース１０がユーザーの身分、姓名、性別、アドレス、及び活動履歴（即ちネットワーク上のユーザーの過去の活動）に関する情報を保存する。該ユーザーお気に入りデータベース１０は更に多くの特別情報を保存可能で、例えば各ユーザーの個人或いはグループが好むチャンネル（即ち一系列の予め設置されたユーザーお気に入りデータベースが自動的に順序表示される）、最終ログインチャンネル、或いは観察及びショッピング習慣を保存する。ステップ４８中、ユーザーお気に入りサーバー９は機能フロントページ発生器８の定義する標準に関係するか或いは満足させるユーザーデータを獲得並びに保存する。例えば、該標準は、ユーザーの過去のブラウジングした特定情報ソース或いはサービス例えばネットワークインデックスチャンネルの頻度及び持続時間を包含しうる。その後、ユーザーがブラウジングしたホームページ及びサービス、及びユーザーが各ホームページ及びサービスで費やした累計時間を包含するユーザーの過去のログイン履歴のデータを獲得し並びに保存する。ユーザーお気に入りサーバー９は経常的な接続ホームページを選択するか或いは最長観察時間のホームページ、サービス、プログラムを選択し、並びにそれを目標の形式、例えば会議及びか課程でリンクし、機能フロントページ発生器８に伝送する。ユーザーお気に入りサーバー９の操作は以下に図１４を参照し説明する。選択可能であるのは、ステップ４９において、リンクはユーザーデータ目標に形成された後に機能フロントページ発生器８に伝送可能である。
【００３７】
ステップ５０中、機能フロントページ発生器８は新たなＨＴＭＬ文献が代表するユーザーの為に特別に制定した機能フロントページを動態発生する。特に、該機能フロントページ発生器８は機能フロントページ中の図示と図表を包含するユーザーインタフェースを決定並びに発生する。機能フロントページ発生の方法は以下に図１３を参照して説明する。ステップ５１中で、機能フロントページ発生器８は発生したＨＴＭＬ文献をクライアントシステム１、例えばセットトップボックスに伝送してユーザーの閲覧に供する。ユーザーがその後、表示された機能フロントページ上で選択を行ない（例えば表示図示のうちの一つを選択する）、選択された情報はクライアントシステム１に表示され、且つ選択された情報はユーザーお気に入りデータベース１０に加えられ次の機能フロントページ発生時に使用される。
【００３８】
図１２はフローチャートであり、機能フロントページ発生器８により完成されるステップを示す。図１２と図１３は共同で図８中の機能フロントページ発生ソフトウエア２３の操作を説明する。ステップ６０で、クライアントシステム１は機能フロントページ請求を受け取り、ステップ６１で、機能フロントページ発生器８がその内部で請求を提出したユーザーに対応するユーザーショート記録をサーチする。もし対応するユーザーショート記録が存在すれば、ステップ６２で、機能フロントページ発生器８が該ユーザーお気に入りサーバー９に接続してユーザーお気に入りデータベース１０に接続してユーザーデータ、例えばユーザーログイン履歴を獲得する。また一方で、もし対応するユーザーショート記録が存在しなければ、ステップ６３で、機能フロントページ発生器８は新たなユーザーのユーザーショート記録を機能フロントページ発生器８中に保存してそのユーザーを登録する。その後、再度ステップ６２を実行し、該機能フロントページ発生器８がユーザーお気に入りサーバー９に接続しユーザーお気に入りデータベース１０に接続して新たなユーザーに関係するデータを取得する。このユーザーが新ユーザーであれば個人のログイン履歴はないため、この新たなユーザーに関係するデータ、例えば特定の年齢でどのような情報ソース／サービスが流行しているかが獲得される。ステップ６４では、予め定義された標準（例えば最近ブラウズされた六個の情報ソース／サービスが図示の形式とされる）に基づき、機能フロントページ発生器８は機能フロントページを制定するためＨＴＭＬ文献を動態発生して特定ユーザーにユーザーお気に入りサーバー９を通して情報を取得させる。ステップ６４中の動態制定機能フロントページ発生は以下の図１３で更に詳しく説明する。
【００３９】
図１３は制定機能フロントページ発生に必要なステップである。ステップ６５で、ユーザーがユーザーお気に入りデータベース１０中に保存された情報を有しているかを判断する。例えば、ユーザーが過去に文献或いはサービスをブラウズ（選択）したかを判断する。もしあれば、ステップ６６で、機能フロントページ発生器８がどのようなお気に入り標準を使用して制定機能フロントページを構築するかを決定する。ある実施方式では、該標準は、ユーザーが特定ホームページインデックスチャンネルを選択した回数である。例えば、ユーザーの過去の一つの特定のホームページインデックスチャンネルのブラウズ回数が最多であれば、このホームページインデックスチャンネルが選択される。（ある実施方式ではその選択は実際にはユーザーお気に入りサーバー９により完成し、この選択課程は以下に図１４を参照して説明する。）その後、ステップ６７で、該チャンネルへのリンクを図示の形式で機能フロントページ発生器８にインストールされる。ステップ６８で、機能フロントページ中の図示がいずれもすでに加入されたかを判断する。例えば図１７も参照されたいが、それはサンプル機能フロントページ１０９及び６個の図示１１０−１１５を包含する。この状況で、ステップ６８で、６個の図示がいずれも機能フロントページ発生器８にインストールされたかを判断する。もしノーであれば、ステップ６５に戻り、このステップを重複し、且つステップ６７で、このチャンネルのリンクに至り、即ちユーザーが過去にブラウズした二番目に多いネットワークインデックスチャンネルが図示の形式でインストールされる。このプログララムはステップ６８中で全ての図示がインストールされたと判断されるまで重複して行なわれる。その後、ステップ７１で、全ての図示がＨＴＭＬ文献が代表する図示を具えた機能フロントページの特定レイアウトにインストールされる。ステップ７２で、ＨＴＭＬ文献がクライアントシステム１にダウンロードされそれに機能フロントページを表示する。
【００４０】
ステップ６５を再び参照されたい。もしユーザーの履歴がユーザーお気に入りデータベース１０中にないと判断されるか、或いはユーザーが十分に特定機能フロントページレイアウト（例えば図示の数量）を選択していないなら、ステップ６９で、ユーザーのショート情報（年齢、性別、アドレス等）が機能フロントページ発生器８に入力される。その後、ステップ７０で、図示を黙認し、例えば推薦のネットワークインデックスチャンネル或いはグループお気に入りチャンネル（例えば現在新ユーザーと同じ或いは相似のショート情報を有するユーザーグループに最も流行しているリンクの図示）が機能フロントページ発生器８にインストールされる。ユーザーはその他のネットワークインデックスチャンネルをブラウズしたいと希望する場合があるため、機能テーブル図示（図１７中の１１５）も包含されうる。ユーザーが該機能テーブル図示１１５を選択する時、このユーザーの前に選択したことのない他のネットワークインデックスチャンネル／サービスのテーブル（機能テーブル）が出現し、且つユーザーはこの機能テーブルより一つを選択することができる。
【００４１】
機能テーブルは異なるレイアウトとされ得て、図１７に示される例に限定されない。例えば機能テーブルに表示される図示の数量は機能フロントページ発生器８が機能フロントページを発生する時に使用する特定標準により変化しうる。且つ図１７に示されるように、該機能フロントページはその他のサービスの図示例えばＶｏＩＰサービス１１７及びＳＭＳサービス１１８を包含しうる。
【００４２】
図１４はいつユーザーお気に入りサーバー９が接続されうるかの二つの例を示す。ユーザーお気に入りデータを管理するユーザーお気に入りサーバー９の操作は図９に示されるユーザーお気に入りデータ管理ソフトウエア３０により制御される。ステップ７３を参照されたいが、第１ステップで、機能フロントページ発生器８がユーザーお気に入りデータベース１０中よりユーザーデータを請求する。その後、ステップ７４で、機能フロントページ発生器８中に定義された標準に基づき、該ユーザーお気に入りサーバー９がユーザーお気に入りデータベース中に保存されたユーザーデータに接続する。ステップ７５で、該標準に基づき（例えば６個の最も経常的に接続される文献／サービスをユーザーが最も再度接続したい文献／サービスとして選択される）、該ユーザーお気に入りサーバー９が単独ユーザー（或いはもしユーザーにログイン記録がないか不足していれば、このユーザーが所属するユーザー群とされる）とされてどの文献／サービスが最も経常的に接続されるかを計算する（そのユーザーの選択頻度及び又はログイン時間を総計する）。その後、ステップ７８で、該ユーザーお気に入りサーバー９が結果を機能フロントページ発生器８に伝送する。ステップ７６に示されるように、第２のステップではクライアントシステム１が新たなユーザーデータ（例えば受け取った機能フロントページでユーザーが行なった選択、例えば機能フロントページの図示の一つのクリックに関する）を伝送する。この部分でクライアントシステム１の操作は以下に図１５を参照して説明する。図１４のステップ７７で、ユーザーお気に入りサーバー９はクライアントシステム１より新たなユーザーデータを受け取り、ユーザーお気に入りデータベース１０を更新する。その後、ステップ７５で、ユーザーお気に入りサーバー９はどの文献／サービスにそのユーザー或いは該ユーザーの所属するユーザーグループが最も経常的に接続するかを計算する。且つステップ７８で、結果を機能フロントページ発生器８に伝送する。
【００４３】
図１５は、ユーザーデータがどのようにクライアントシステム１に制御されユーザーお気に入りサーバー９及びユーザーお気に入りデータベース１０に伝送されるかの課程を示す。この課程は図２に示されるクライアントシステム１中のデジタルチャンネルソフトウエア１５により完成する。ステップ８０で、ユーザーがクライアントシステム１上で選択を行ない、その後、ステップ８１で、クライアントシステムのデジタルチャンネルソフトウエア１５が目標（例えば、接続するネットワークインデックスチャンネル）にログインし、ユーザーが接続されたネットワークインデックスチャンネルに続けて接続する時間を観察する。ステップ８２で、ユーザーがそのチャンネルのブラウズを完成したかを判断する。もしノーであれば、ステップ８１に戻り、該ソフトウエアが続けて目標にログインしブラウズ時間を観察する。もしブラウズを完成したなら、ステップ８３を実行し、ユーザーが不積極（本発明の機能フロントページ発生サービスを未請求）の状況で、ユーザーに促す必要がない状況で、該ブラウザ（図２中の１４）はＪａｖａ（登録商標）スクリプトを起動して機能フロントページ発生器８を通して自動的にユーザーデータ（例えば目標及び観察時間）をユーザーお気に入りサーバー９に伝送し、ステップ８４を完成する。この実施方式中、全てのユーザーデータはユーザーお気に入りサーバー９に伝送される前にクライアントシステム１中に保存される。
【００４４】
図１６は本発明の一つの実施方式による動態制定機能フロントページ発生システム中の全体データフローを示す。特に、図１６はクライアントシステム１、機能フロントページ発生器８、ユーザーお気に入りサーバー９、ユーザーお気に入りデータベース１０、及び一つ或いは複数のネットワークサーバー６が支援する異なるホームページ（図１中のネットワークインデックスサーバー７’を包含する）中のデータフローを示す。ネットワークサーバー６のほかの、その他のサーバー例えばＳＭＳサーバーとＶｏＩＰサーバーが各アプリケーションに基づきそのうちに含まれ得る。まず、参考線９１に示されるように、請求に応答するため、ユーザーが請求した機能フロントページが予め登録済みであるかを検査し、機能フロントページ発生器８がユーザーお気に入りサーバー９を通してこのユーザー文献にアクセス／接続する。特に、参考線９２、９３に示されるように、該ユーザーお気に入りサーバー９はユーザーお気に入りデータベース１０中の該ユーザー履歴／記録に接続し、且つ参考線９４のように、ユーザー文献形式で取得したユーザーデータを機能フロントページ発生器８に伝送する。参考線９５のように、該機能フロントページ発生器８は制定機能フロントページを発生してクライアントシステム１に送り、該機能フロントページを表示する。参考線９６のように、ユーザーが表示された機能フロントページ上で選択を行ない、この選択は機能フロントページ発生器８を通してユーザーお気に入りサーバー９に伝送される。参考線９７に示されるように、該ユーザーお気に入りサーバー９はユーザーの新履歴／記録をユーザーお気に入りデータベース１０中にログインし、且つ参考線９８のように、選択されたデータを支援するネットワークサーバー６より選択されたデータ（文献／サービス等）を請求する。参考線９９及び１００のように、ネットワークサーバー６より選択されたデータがクライアントシステム１に伝送され表示され、且つクライアントシステム１が選択されたデータが続けてブラウズされる時間をログインする。
【００４５】
図１７は本発明により発生するサンプル機能フロントページ１０９を示す。この機能フロントページは複数の図示１１０、１１５を包含しうる。各図示は一つのユーザーがブラウズを希望する可能性のある特定文献／サービス／ネットワークインデックスチャンネル等を代表する。この機能フロントページ１０９はスクリーンを包含して通常のテレビチャンネルの表示に用いられ得る（クライアントシステム１がセットトップボックスの時）。該機能フロントページ１０９はＳＭＳ図示１１８とＶｏＩＰ図示１１７等を包含し得て、ユーザーはその上を簡単にクリックすることで対応するサービスに接続できる。例えば、図１８はＳＭＳ図示１１８がクリックされる時のディスプレイ３上のサンプル表示である。ＳＭＳ目録１２０がディスプレイ３上に表示される。
【００４６】
図１９は矢印キー及び数字キーを具えたサンプルリモコン４を示し、それは本発明中にあってクライアントシステム１（セットトップボックス）の入力装置として使用されるのに適している。一方で、数字キーはネットワーク上で到達できる特定の文献、ホームページ、サービス、ネットワークインデックスチャンネル等を指定するのに使用可能である。特に、各一つの目標、最も好ましくは各一つの最も流行している目標はチャンネル化され、即ち、一つのユーザーがリモコン４を使用して接続できる特定の数値（例えば４）を指定する。本領域の普通の技術を有する者であれば熟知するように、これはリモコン４上の各数字とネットワーク上の特定目標の接続により完成される。このようにして、ユーザー、特にコンピュータ初心者のユーザーはテレビの観察習慣を延伸してネットワーク内容のブラウズを行なうことができる。例えば、ユーザーはその観察したいネットワークインデックスチャンネルの数字をクリックすることで、見たいホームページ（或いは任意の本発明を応用したその他のネットワーク）上の情報を観察できる。例えばチャンネル１−９９９はテレビチャンネルを指定し、チャンネル１０００−００００はネットワークチャンネルを指定することができる。こうしてコンピュータ初心者のユーザーがインターネット（或いはその他の任意のネットワーク）を使用するのに便利となる。
【００４７】
本領域の普通の技術を有する者であれば分かるように、以上の本発明の説明はインターネットに基づいているが、本発明はその他のネットワーク、例えばデジタルテレビネットワーク等にも応用可能である。
以上の実施例は本発明を説明するためのものであり、本発明の精神と範囲より逸脱しない状況の下で異なる形式の各種の改修が可能である。
【図面の簡単な説明】
【００４８】
【図１】本発明の動態制定機能フロントページ発生装置の操作環境の構造図である。
【図２】本発明のクライアントシステムの構造のフレーム図である。
【図３】本発明の複数の履歴プログラムを保存したメインワークステーションの構造を示すフレーム図である。
【図４】本発明の履歴プログラムサーバーの構造を示すフレーム図である。
【図５】本発明の履歴プログラムの表示図である。
【図６】本発明の実施例における、クライアントシステム、メインワークステーション、履歴プログラムサーバー間と各種ホームページ中のデータフロー表示図である。
【図７】本発明のクライアントシステム上の例示履歴プログラムホームページが複数の選択目録を列記しそれぞれが一つの履歴プログラムと関係するのを表示する図である。
【図８】本発明の機能フロントページ発生器の構造を示すフレーム図である。
【図９】本発明のユーザーお気に入りサーバーの構造を示すフレーム図である。
【図１０】本発明のユーザーお気に入りデータベースの説明図である。
【図１１】本発明の機能フロントページ発生器及びユーザーお気に入りデータベース動態制定機能フロントページ発生システムのフローチャートである。
【図１２】本発明の機能フロントページ発生器操作のフローチャートである。
【図１３】本発明の機能フロントページ発生器が機能フロントページ上で図示を発生するステップのフローチャートである。
【図１４】本発明のユーザーお気に入りサーバーのフローチャートである。
【図１５】本発明のクライアントシステムよりユーザーお気に入りサーバーにユーザーデータを送る時に完成が必要なステップのフローチャートである。
【図１６】本発明の実施方式中のクライアントシステム、機能フロントページ発生器、ユーザーお気に入りサーバー、ユーザーお気に入りデータベース、及び異なるネットワークサーバー中のデータフロー表示図である。
【図１７】本発明のクライアントシステム上のサンプル機能フロントページを示し、一組の図示形式の選択項目が示されている。
【図１８】本発明のクライアントシステム上のサンプルショート情報（ＳＭＳ）目録を表示する図である。
【図１９】本発明のセットトップボックスの入力装置に使用されるサンプルのリモコンを表示する図である。
【符号の説明】
【００４９】
１  クライアントシステム
３  ディスプレイ
５  インターネット
４  入力装置
６  ホームページサーバー
７’メインワークステーション
８  機能フロントページ発生器
８’履歴プログラムサーバー
９  ユーザーお気に入りサーバー
９’メインサーバー
１０’メインコンピュータ
１０  ユーザーお気に入りデータベース
１１  処理ユニット
１２  メモリ
２  バス
１３  オペレーションシステム
１４  ブラウザ
１５  デジタルチャンネルソフトウエア
４６’  ネットワークインタフェース
４７’  処理ユニット
４８’  ディスプレイ
４９’  入力装置
５０’  メインメモリ
５２’  バス
５４’  オペレーションシステム
５６’  履歴プログラム編集システム
５８’  履歴プログラムデータベース
６０’  ユーザー管理データベース
６５’  ネットワークサービス部分
５１’  ネットワークインタフェース
５３’  処理ユニット
５５’  メモリ
５７’  バス
５９’  オペレーションシステム
６３’  履歴プログラムインタプリタ
６６’  ネットワークサービス部分
６７’  臨時ホームページデータベース
６１’  履歴プログラム
６２’  テーブル
６４’  属性
１６  処理ユニット
１７  ディスプレイ
１８  入力装置
１９  大容量メモリ
２０  バス
２１  オペレーションシステム
２２  ブラウザ
２３  機能フロントページ発生器ソフトウエア
２７  バス
２５  処理ユニット
２６  メモリ
２８  オペレーションシステム
２９  ブラウザ
３０  ユーザーお気に入りデータ管理ソフトウエア
３１  オペレーションシステム
３２  メモリ
【図１】
2006099610.tif 000003
【図２】
2006099610.tif 000004
【図３】
2006099610.tif 000005
【図４】
2006099610.tif 000006
【図５】
2006099610.tif 000007
【図６】
2006099610.tif 000008
【図７】
2006099610.tif 000009
【図８】
2006099610.tif 000010
【図９】
2006099610.tif 000011
【図１０】
2006099610.tif 000012
【図１１】
2006099610.tif 000013
【図１２】
2006099610.tif 000014
【図１３】
2006099610.tif 000015
【図１４】
2006099610.tif 000016
【図１５】
2006099610.tif 000017
【図１６】
2006099610.tif 000018
【図１７】
2006099610.tif 000019
【図１８】
2006099610.tif 000020
【図１９】
2006099610.tif 000021